(57)【要約】【課題】複数サイズのボトルを収納し、ボトルを簡単に出し入れ出来、清潔性を持ったボトルホルダーを提供する。【解決手段】断熱収納体４の最上部に対面する２方向に開閉する２片の開閉蓋３ａ，３ｂを形成してボトル１の先端部を挟み、開閉蓋がボトルの肩テーパー部の周辺を断熱材と共に覆い、ボトル飲み口部が前記開閉蓋から突出するように構成した。開閉蓋は弾性により、開口隙間を最小限に維持し、取り出す時は単に引き抜くだけで完了する。ボトルを下へ落とし込むと、開閉蓋が入り口を閉じ、粉塵等からボトルを守るようにした。また、底部に確保された空洞１３により高さの異なったボトルの収納も可能とした。【選択図】          図１
2004352274.tif 000002
【特許請求の範囲】
【請求項１】
先端部が先細な筒状のボトル１を収納する，少なくとも防水性及び保温性を有する素材により形成された有底中空筒状の断熱収納体４を具備してなり、その断熱収納体４の最上部に対面する少なくとも２方向に開閉する２片の開閉蓋が形成されて該開閉蓋が前記ボトルの先端部に係合されて開閉蓋がボトルの肩テーパー部１２の周辺を覆うと共に、ボトルの飲み口部が前記開閉蓋から突出するように構成されたことを特徴とするボトルホルダー。
【請求項２】
ホルダー本体の蓋は、そのヒンジ部９の素材が持つ弾力性による復元力を利用し、前記開閉蓋の開口隙間を自動的に減少させる手段を有することを特徴とする請求項１に記載のボトルホルダー。
【請求項３】
前記ホルダー本体は、開閉蓋３ａ，３ｂと一体に固着させた肩掛け用ベルト５にて携帯する時において、開閉蓋の２片の先端でボトルキャップ下縊れ部１１を挟んでボトルを吊り下げる構造により、その高さの許す範囲で、複数サイズの高さのボトルの携帯に使用する事を特徴とする請求項１又は請求項２に記載のボトルホルダー。
【請求項４】
前記ホルダー本体は、開閉蓋３ａ，３ｂとボトルとの接地点を少なくとも１箇所を手動で広げる事により、ボトルを中に落とし込み、ボトルキャップ部を粉塵から防ぐための簡易密閉収納する事を特徴とする請求項１又は請求項２又は請求項３に記載のボトルホルダー。
【請求項５】
前記ホルダー本体は、開閉蓋３ａ，３ｂから突出したボトルのキャップ部分を上部へ引き抜く操作のみで開閉蓋の開き角度が追随して、ボトル１を断熱収納体２から離脱させるようにした請求項１又は請求項２又は請求項３又は請求項４に記載のボトルホルダー。
【請求項６】
請求項１又は請求項２請求項３又は請求項４又は請求項５に記載のボトルホルダー２において、そのヒンジ部９の素材が持つ弾力性による復元力を利用し、前記開閉蓋３ａ，３ｂの開口隙間を自動的に減少させる手段を有することを特徴とする開閉蓋。
【発明の詳細な説明】
【０００１】
【発明の属する技術分野】本発明は、飲料水等を入れるボトルホルダーに関し、詳しくは、ボトルの断熱機能と保持機能と着脱機能に関するものである。
【０００２】
【従来の技術】
近年、軽量性、清潔性、リサイクル性等の点から飲料用ボトル、いわゆるペットボトルは様々な清涼飲料用の容器として、レジャーや通常の外出の際にも携帯され利用されている。通常は鞄やリュックサック類に収納して行われたり、首に架けて携帯されたりしているのが一般的である。
【０００３】
衛生面から見た場合、屋外において、雨風等で粉塵や雑菌に曝されていることが予想される場合は、１例として開口部近傍にフード部を設け、その部分に内蔵された紐を絞って飲み口部を巾着状態として閉じ、ペットボトルを覆い隠す状態とし、ペットボトルの飲料口周辺へのゴミなどの付着を防止しているタイプの物もある。（例えば、特許文献１参照。）。
【０００４】
また、保温性を向上させる目的においては振動等でボトルが動かぬよう、伸縮性のある断熱材で全体を覆い、断熱材の上部に穴を設けてそこから注ぎ口を突出させるようになっているものもある（例えば、特許文献２参照。）。
【０００５】
また一方で、防水性、保温性の向上においては、断熱材で保持すべきペットボトルの外形状に対し、漸次外形の小さくなった、絞られた形状を有して、ほぼその全体を外側から包み込んでフィット性を向上させているものもある（例えば、特許文献３参照。）。
【０００６】
【特許文献１】
特開２００２−３０８３２９号公報
【０００７】
【特許文献２】
特開２０００−２９６８８７号公報
【特許文献３】
登録実用新案第３０６７１９５号公報
【０００８】
【発明が解決しようとする課題】
断熱剤でボトルを覆って保温、保冷効果を期待する形状のものも多く出されているが、全体を密着させて、空気の出入り防止を図るためボトルの収納着脱操作に手間を要し、また密着させるため、サイズとしてゆとりの空間を設けられず、結果一つのサイズのボトルしか使用できないことになるという問題点があった。
【０００９】
また一方で、清潔さを維持するための、飲み口を巾着締めで覆う方法は、素材を絞るための柔軟さを必要するため、布製や不織布製が多く、使用時に飲料の雫等がうっかり滴ると毛細管現象により、生地に染み込み、簡単に拭き取る事が困難で、乾くまで不快感を催す。またそのような場合、雑菌の温床となり易く、後日洗濯する等の手間を要すという問題があった。本発明は、上記課題を解決するためになされたものであり、清潔で、簡潔に着脱可能な、かつフレキシブルな収納サイズに対応する事が出来るボトルホルダーを提供する事を目的とする。
【００１０】
【課題を解決するための手段】
上記課題を解決するため、請求項１に係るボトルホルダーは、以下の構成を採用した。本発明のボトルホルダーは、先端部が先細な筒状のボトルを収納する，少なくとも防水性及び保温性を有する素材により形成された有底中空筒状の断熱収納体を具備してなり、その断熱収納体の最上部に対面する２方向に開閉する２片の開閉蓋が形成されて該開閉蓋が前記ボトルの先端部に係合されて開閉蓋がボトルの肩テーパー部の周辺を断熱材と共に覆うと共に、ボトルの飲み口部が前記開閉蓋から突出するように構成されている。
【００１１】
この方式のボトルホルダーは、部品点数の少ないシンプルな構造で作ることが出来、開閉蓋はボトルのキャップ下縊れ部の接点においてボトル重量を挟んで支持する構造で楔作用を利用して安定を図っている。故に、開閉蓋を開放するまでは、ボトル飲み口部は常に突出する事が出来る。
【００１２】
また、請求項２に係るボトルホルダーは、ホルダー本体の蓋は、そのヒンジ部の素材が持つ弾力性による復元力を利用し、前記開閉蓋の開口隙間を常に最小限に保つ手段を有している。
【００１３】
この方式のボトルホルダーは、レジャー等で躍動的に携行されても、素材の復元力でボトルを挟み込んで保持するためがたつきが無く、不必要な空気の出入りを軽減し、断熱性保持に貢献する。
【００１４】
また、請求項３に係るボトルホルダーは、開閉蓋３ａ，３ｂと一体に固着させた肩掛け用ベルト５にて携帯する時において、開閉蓋の２片の先端でボトルキャップ下縊れ部を挟んでボトルを吊り下げている。
【００１５】
この方式のボトルホルダーは、断熱収納体４の底に空洞１３を設けておき、屋外携帯時に不衛生な環境に遭遇した場合等、ボトルを断熱収納体の中に落とし込むことにより、開閉蓋が応力ひずみから開放されて断熱材４ａ，４ｂを巻き込んで全閉され、断熱性を維持しながら、ボトルキャップ部を屋外で使用する時の粉塵や雑菌から防護する。
【００１６】
また、請求項５に係るボトルホルダーは、開閉蓋から突出したボトルのキャップ部を上部へ引き抜く操作だけでボトルを本体から離脱させるようにした。
【００１７】
この方式のボトルホルダーは、開閉蓋３ａ，３ｂに弾力性があるため予め押し開ける事無く、ボトルを引き抜く操作以外に何の付帯動作も不要とした。
【００１８】
また、請求項６に係る開閉蓋は、請求項１又は請求項２請求項３又は請求項４又は請求項５に記載のボトルホルダー２の構成に加えて、そのヒンジ部９の素材が持つ弾力性による復元力を利用し、前記開閉蓋３ａ，３ｂの開口隙間をその応力ひずみにより自動的に減少させる手段を有することを特徴とした。そのため、断熱収納体のサイズにゆとりを持たせておいた場合でも、異なる規格のボトルを支持する事が可能となる。
【００１９】
【発明の実施の形態】
以下、本発明の実施の形態を図面を参照して説明する。図１〜図８には、本発明のボトルホルダーを示す。図１はボトルを収納した状態を示す。このボトルホルダーは、ボトル１を収納する断熱収納体４を具備してなるものである。断熱収納体４は、有底中空円筒状に形成されていてその上部に開閉蓋３ａ、３ｂを有しており、そのすぐ内側に断熱収納体開口部５ａ、５ｂが位置している。
【００２０】
前記ホルダー本体が、ボトル１を収納した際に前記ボトルのキャップ部１０が前記開口蓋から外方に突出する状態で、開口蓋３ａ、３ｂは内側に内在する断熱収納体開口部５ａ、５ｂと共に、肩テーパ部１２に密着する。これにより、ボトル１を一旦断熱収納体４に納めた後は、その出し入れを行うことなく、断熱性を維持した収納状態でボトル内の飲料の注ぎ出しや飲用を行う。
【００２１】
図２はボトルを収納する途中の図である。この図に示すように開閉蓋３ａ、３ｂを観音開き状に両サイド上部に開いてからボトル１を挿入して収納できるように構成されている。
【００２２】
ボトルを取り出す時は、図２に示す様に開閉蓋から突出したボトルのキャップ部分を上部へ引き抜く操作のみで開閉蓋の間口形状や、開閉蓋３ａ，３ｂの開き角度がボトルの外周に自ずと追随して、ボトルを本体から離脱させるようにした。同時に断熱収納体４と一体の断熱収納体開口部５ａ，５ｂも開閉蓋３ａ，３ｂに追随して開く構造とした。
【００２３】
また図３において開閉蓋と一体に固着させた肩掛け用ベルト６にて携帯する時において、開閉蓋の２片３ａ，３ｂの先端でボトルキャップ下縊れ部１１を挟んでボトルを吊り下げる事により、ホルダー内の底部には空洞１３を設け、その空洞高さの許す範囲で、高さの異なるボトルの携帯にも使用するようにした。
【００２４】
上記構造により、例えば、５００ｍｌ用の断熱収納体４を使用して３５０ｍｌのボトルを、あるいは高さの規格の異なる哺乳瓶等、使用出来るボトルの範囲を広くした。
【００２５】
図５は断熱収納体を示す。断熱材を使用して袋状とし、上部に切れ込みを入れ、断熱収納体開口部５ａ，５ｂを形成しておく。
【００２６】
図６は弾性樹脂部材２を示す。弾性樹脂部材２は予め切れ込みを入れておき、開閉蓋部として３ａ、３ｂと４ヶ所のヒンジ部９を形成しておく。切れ込みサイズとしては、ボトルを入れるために開閉蓋を左右に押し広げた時、ボトル胴部外周の最大部分が入る大きさを確保しておく。
【００２７】
上記の弾性樹脂部材２内において、開閉蓋３ａ，３ｂを形成する時の打ち抜き直径は対象となるボトルのキャップ下縊れ部１１の直径よりも小さく設計することにより、ボトルを装着した時に、ハメアイが締りバメ状態となり、その直径差によってもたらされる、ひずみの逃げの結果として開閉蓋３ａ，３ｂが上方に押し上げられ、形成された傾斜角でボトルの肩テーパ部１２を覆い、断熱密閉するものである。
【００２８】
開口蓋３ａ、３ｂはその断熱収納体４の最上部に対面する少なくとも２方向に開閉する２片の開閉蓋３ａ，３ｂが形成されているが、それ以上の片に分割してもボトルの肩テーパー部１２の周辺を覆う機能が果たせればよい。
【００２９】
開閉蓋３ａ、３ｂはそのヒンジ部分の素材に弾力性を附加してもよく、その場合、開閉蓋３ａ、３ｂを両サイドに開いてもその復元力の形状記憶性で元に戻ろうとする力を利用して、肩テーパ部１２に沿って、自ずとボトルとの隙間を減らすように作用する。
【００３０】
弾性樹脂部材２は、注ぎ出す時等に、うっかり濡れたり、保冷時、結露が発生しても素材の内部に染み込む事が無い様に、清潔で快適に使用出来る樹脂素材とした。
【００３１】
例えば、ポリエチレン樹脂（ＬＬＰＥ）、エチレンビニルアセテート（ＥＶＡ）、又は両者の複合品、ポリプロピレン樹脂などがよく、少なくとも機能として飲料水が充填されたボトル重量を支える剛性と開口隙間を常に減少させる方向に戻ろうとする弾性復元力と繰り返し応力に耐え得る耐ヒンジ性を兼ね備えた素材を選定する。
【００３２】
図７は開閉蓋３ａ，３ｂとボトルとの接地点を少なくとも１箇所を手動で広げる事により、ボトルを中に落とし込む作用を示す。
【００３３】
また、図８において保温又は保冷された飲料水を長時間飲用しない場合や屋外携帯時に不衛生な環境に遭遇した場合等、上記のようにボトル１に対し、断熱収納体４の有効収納深さをボトルより深く設定しておく事により、図７に示すように、一旦開口蓋３ａ、３ｂを押し広げてボトル１を断熱収納体４の中へ落とし込む事により、ひずみ応力から開放されたヒンジ部９が元の無負荷時の扁平状態に戻り、開閉蓋の間口を閉じ、簡易密閉収納の形をとり、断熱性を維持しながら、ボトル１のキャップ部１０を屋外で使用する時の粉塵や雑菌から防護する。また、開閉蓋３ａ，３ｂが閉じると同時に開閉蓋の裏側まで延長された断熱収納体４の先端部である、断熱収納体開口部５ａ，５ｂが入り口隙間を覆い塞ぐ働きをする。
【００３４】
断熱収納体４は円筒状に形成されているが、これに限られず、多角柱状に形成されていても良いし、断熱収納体２の周壁（側面）は、断熱性に優れたシート状の断熱材を少なくとも具備する生地からなるもので、この生地としては、例えば、布地、クロロプレンゴム、ポリウレタン、スチレンブタジエンゴム、アクリロニトリルブタジエンゴム、不織布、発泡ポリエチレン又はそのラミネート品等が例示される。なお、貼り合わせる素材は、上記のものに限らないが、少なくとも空気層が確保出来るもの等、断熱性を有するものが好ましい。
【００３５】
断熱収納体４の材質には伸縮性が無くても、又そのために空洞が発生したとしても、開閉蓋がボトル肩テーパ部を固定しているため、空気が移動せず、保温を保つようにした。
【００３６】
【発明の効果】
以上のような構成であるので、本発明によるボトルホルダーは、ボトルの首部の寸法が異なっても、開閉蓋が断熱シートと共にボトルの肩テーパー部の周辺を覆い、その締着状態を維持し、またボトルを取り出す時も開閉蓋がボトルの外形に追随して広がり簡単に取り出せるものである。
【００３７】
肩掛け用ベルトにて携帯する時において、開閉蓋の２片の先端でボトルキャップ下縊れ部を挟んでボトルを吊り下げる構造により、その空洞高さの許す範囲で、複数サイズの高さのボトルの携帯に使用出来る事が出来る。
【００３８】
また、入り口を出しておきいつでもすぐ飲む事が出来る。と同時に長時間使用しない時は下に落とし込むと自動的に入り口を閉じ、断熱効果を維持しながら、粉塵や雑菌等からボトルの飲み口を保護する。
【００３９】
また、ボトル１を取り出す場合には、何の操作の不要で、単に上へ引抜けば完了する利便さがある。
【００４０】
巾着袋式やファスナーで固定化或いは密着させる等の絞り手段で開口部を絞っておくこと無く、ボトル出し入れの容易化と保温化と開口蓋の２片で挟む事による保持状態の安定化を図る事が出来る。
【００４１】
【図面の簡単な説明】
【図１】ボトルを挿入した製品の正面図である。
【図２】ボトルを出し入れする途中状態の図である。
【図３】ボトルを挿入した時の側面図である。
【図４】断熱樹脂部材を装着した斜視図である。
【図５】断熱収納体の側面図である。
【図６】弾性樹脂部材の展開図である。
【図７】開閉蓋の片方を押し広げた時の図である。
【図８】ボトルを断熱収納体に落とし込んだ時の図である。
【００４２】
【符号の説明】
１      ボトル
２      弾性樹脂部材
３ａ    開閉蓋
３ｂ    開閉蓋
４      断熱収納体
５ａ    断熱収納体開口部
５ｂ    断熱収納体開口部
６      肩掛け用ベルト
７      カシメ
８      カシメ穴
９      ヒンジ部
１０    キャップ部
１１    キャップ下縊れ部
１２    肩テーパ部
１３    空洞
【図１】
2004352274.tif 000003
【図２】
2004352274.tif 000004
【図３】
2004352274.tif 000005
【図４】
2004352274.tif 000006
【図５】
2004352274.tif 000007
【図６】
2004352274.tif 000008
【図７】
2004352274.tif 000009
【図８】
2004352274.tif 000010